(57)【要約】【課題】陳列されている図書の情報を正確に検索することが可能な図書案内システム、図書分類処理装置及び図書案内方法を提供すること。【解決手段】ＩＣタグが貼付けされた図書の情報を案内するための図書案内システムであって、図書に貼付けされた前記ＩＣタグの情報を読取る携帯端末２０１と、ＩＣタグの情報と図書分類及び図書情報を含む情報とを対応づけた図書データベース２０５とが通信回線網で接続され、携帯端末２０１は、ＩＣタグの情報を図書データベース２０５に送信する送信部を備え、図書データベース２０５は、携帯端末２０１から受信したＩＣタグの情報に基づいてＩＣタグの情報に対応する図書分類を検索する図書分類検索部を備え、図書データベース２０５からＩＣタグの情報及びＩＣタグの情報に対応する図書分類とを受信して、検索対象の図書分類を設定する分類番号処理装置２０４を備える。【選択図】図２
2009015442.tif 000002
【特許請求の範囲】
【請求項１】
ＩＣタグが貼付けされた図書の情報を案内するための図書案内システムであって、
図書に貼付けされた前記ＩＣタグの情報を読取る携帯端末と、前記ＩＣタグの情報と図書分類及び図書情報を含む情報とを対応づけた図書データベースとが通信回線網で接続され、
前記携帯端末は、前記ＩＣタグの情報を前記図書データベースに送信する送信部を備え、
前記図書データベースは、前記携帯端末から受信した前記ＩＣタグの情報に基づいて前記ＩＣタグの情報に対応する前記図書分類を検索する図書分類検索部を備え、
前記図書データベースから前記ＩＣタグの情報及び前記ＩＣタグの情報に対応する前記図書分類を受信して、検索対象の図書分類を設定する図書分類処理部を備えたことを特徴とする、図書案内システム。
【請求項２】
前記図書データベースは、前記図書分類処理部により設定された前記検索対象の図書分類に基づいて、当該検索対象の図書分類に対応する図書情報を前記携帯端末へ送信することを特徴とする、請求項１に記載の図書案内システム。
【請求項３】
前記携帯端末は、読取った複数のＩＣタグの情報の中から一部のＩＣタグの情報を選択して前記図書データベースへ送信し、
前記図書分類処理部は、受信した図書分類のうち互いに最も近接する図書分類の対を特定し、特定した図書分類を含む所定範囲の図書分類を前記検索対象の図書分類として設定することを特徴とする、請求項１又は２に記載の図書案内システム。
【請求項４】
前記図書分類は分類番号によって規定され、前記図書分類処理部は、受信した図書分類を規定する分類番号のうち互いに近接する分類番号を代表分類番号として特定し、特定した代表分類番号を含む所定幅の分類番号に対応する図書分類を前記検索対象の分類番号として特定することを特徴とする、請求項３に記載の図書案内システム。
【請求項５】
前記図書分類処理部は、受信した図書分類を規定する分類番号のうち差が最も小さい分類番号の組を特定し、特定した分類番号の組に基づいて前記代表分類番号を特定することを特徴とする、請求項４に記載の図書案内システム。
【請求項６】
前記図書分類処理部は、受信した図書分類を規定する分類番号のうち差が最も小さい分類番号の組が複数存在する場合は、任意にいずれかの組を特定し、特定した分類番号の組に基づいて前記代表分類番号を特定することを特徴とする、請求項５に記載の図書案内システム。
【請求項７】
前記図書分類処理部は、前記携帯端末の画面表示機能又は情報蓄積容量、若しくは前記携帯端末と前記図書データベースとを接続する回線の伝送能力に基づいて、前記検索対象の分類番号を特定することを特徴とする、請求項１〜６のいずれかに記載の図書案内システム。
【請求項８】
前記図書分類処理部は、前記図書データベースから前記ＩＣタグの情報、前記図書分類及び対応する書架の情報が対応付けられた情報を受信し、
受信した図書分類のうち他の図書分類と異なる図書分類を有するＩＣタグの情報に対応する図書を混在図書として特定し、
受信した図書分類のうち互いの図書分類が近接又は同一である図書の書架位置情報に基づいて、当該書架位置情報が前記混在図書が置かれている一時移動先書架位置情報として特定し、
前記図書データベースは、前記図書分類処理部から前記一時移動先書架位置情報を受信して記憶することを特徴とする、請求項１に記載の図書案内システム。
【請求項９】
前記図書分類は分類番号によって規定され、前記図書分類処理部は、受信した図書分類を規定する分類番号のうち所定の上位桁が異なる分類番号に対応する図書を混在図書として特定することを特徴とする、請求項８に記載の図書案内システム。
【請求項１０】
前記図書分類処理部は、前記図書データベースと通信回線で接続された装置に備えられることを特徴とする、請求項１〜９のいずれかに記載の図書案内システム。
【請求項１１】
前記図書分類処理部は、前記図書データベース又は前記携帯端末に備えられることを特徴とする、請求項１〜９のいずれかに記載の図書案内システム。
【請求項１２】
ＩＣタグが貼付けされた図書の情報を管理する図書データベースと接続された図書分類処理装置であって、
前記図書データベースからＩＣタグの情報及び前記ＩＣタグの情報に対応する図書分類とを受信する受信部と、
受信した図書分類に基づいて、検索対象の図書分類を設定する図書分類処理部と、
前記検索対象の図書分類を前記図書データベースに送信する送信部と、
を備えたことを特徴とする、図書分類処理装置。
【請求項１３】
前記図書分類処理部は、受信した図書分類のうち互いに最も近接する図書分類の対を特定し、特定した図書分類を含む所定範囲の図書分類を前記検索対象の図書分類として設定することを特徴とする、請求項１２に記載の図書分類処理装置。
【請求項１４】
前記図書分類は分類番号によって規定され、前記図書分類処理部は、受信した図書分類を規定する分類番号のうち互いに近接する分類番号を代表分類番号として特定し、特定した代表分類番号を含む所定幅の分類番号に対応する図書分類を前記検索対象の分類番号として特定することを特徴とする、請求項１３に記載の図書分類処理装置。
【請求項１５】
前記受信部は、前記図書データベースから前記ＩＣタグの情報、前記図書分類及び対応する書架の情報が対応付けられた情報を受信し、
受信した図書分類のうち他の図書分類と異なる図書分類を有するＩＣタグの情報に対応する図書を混在図書として特定し、
受信した図書分類のうち互いの図書分類が近接又は同一である図書の書架位置情報に基づいて、当該書架位置情報が前記混在図書が置かれている一時移動先書架位置情報として特定し、
前記混在図書の前記ＩＣタグの情報と前記一時移動先書架位置情報を前記図書データベースへ送信することを特徴とする、請求項１２に記載の図書分類処理装置。
【請求項１６】
図書に貼付けされた前記ＩＣタグの情報を読取る携帯端末と、前記ＩＣタグの情報と図書分類及び図書情報を含む情報とを対応づけた図書データベースとが通信回線網で接続された図書案内システムにおける図書案内方法であって、
前記携帯端末が、前記ＩＣタグの情報を前記図書データベースに送信するステップと、
前記図書データベースが、前記携帯端末から受信した前記ＩＣタグの情報に基づいて前記ＩＣタグの情報に対応する前記図書分類を検索するステップと、
前記図書データベースから前記ＩＣタグの情報及び前記ＩＣタグの情報に対応する前記図書分類を受信して、検索対象の図書分類を設定するステップと、
前記図書データベースが、前記検索対象の図書分類に基づいて、当該検索対象の図書分類に対応する図書情報を前記携帯端末へ送信するステップと、
を備えたことを特徴とする、図書案内方法。
【発明の詳細な説明】
【技術分野】
【０００１】
本発明は、図書案内システム、図書分類処理装置及び図書案内方法に関する。
【背景技術】
【０００２】
近時において、図書館では盗難防止、貸出管理を目的として従来のバーコードに代わるものとしてＩＣタグの導入が行われている。アンチコリジョン機能により、ＩＣタグでは一度に複数のＩＣタグの情報をタグリーダにより読み出すことができるため、複数の図書の一括管理ができるようになってきている。
【０００３】
また、特許文献１に記載された図書案内システムでは、ＩＣタグのリーダライタ機能を備えた携帯端末機などを書架付近でスキャンさせ、図書に貼り付したＩＣタグを読み込み、予め携帯端末機等に記憶させておいた所望の図書のＩＣタグ情報と比較することにより、所望の図書の所在を携帯端末等に知らせることが記載されている。
【０００４】
【特許文献１】特開２００５−３５２９５２公報
【特許文献２】特開２００４−１３１２５０公報
【発明の開示】
【発明が解決しようとする課題】
【０００５】
一方、図書館で探している所望の図書に関する情報だけでなく、さらに書架に陳列している図書のうち数十冊もの情報を一括で携帯端末等に表示することにより、図書館利用者に対してより多様な図書検索サービスを提供することが想定される。
【０００６】
この場合、上記公報に記載された技術を利用して、図書館利用者がＩＣタグのリーダライタ機能を備えた携帯端末機などを書架付近でスキャンさせたときに読み込んだ数十個のＩＣタグの情報を図書データベースに問い合わせ、読み込んだＩＣタグ情報に対応する図書データを携帯端末等に表示することが考えられる。
【０００７】
しかしながら、この手法では、ＩＣタグリーダを書架付近でスキャンさせ、そのエリアにある図書全てのＩＣタグを短時間で読み出そうとしても、読み飛ばしが発生する可能性もあり、結果としてスキャンしたエリアに存在する全ての図書情報を携帯端末に表示することは困難である。
【０００８】
また、図書館では、図書を閲覧した後にその図書が元の書架の位置に戻されずに、他の書架に戻されてしまう場合がある。このため、書架内には、分類番号に従って陳列された図書と、本来その書架に陳列されるべきでない図書が混在している場合がある。従って、スキャンした結果得られる情報の中には、利用者にとっては関心のない図書に関する情報が含まれてしまう場合がある。
【０００９】
そこで、本発明は、上記問題に鑑みてなされたものであり、本発明の目的とするところは、陳列されている図書の情報を正確に検索することが可能な、新規かつ改良された図書案内システム、図書分類処理装置及び図書案内方法を提供することにある。
【課題を解決するための手段】
【００１０】
上記課題を解決するために、本発明のある観点によれば、ＩＣタグが貼付けされた図書の情報を案内するための図書案内システムであって、図書に貼付けされた前記ＩＣタグの情報を読取る携帯端末と、前記ＩＣタグの情報と図書分類及び図書情報を含む情報とを対応づけた図書データベースとが通信回線網で接続され、前記携帯端末は、前記ＩＣタグの情報を前記図書データベースに送信する送信部を備え、前記図書データベースは、前記携帯端末から受信した前記ＩＣタグの情報に基づいて前記ＩＣタグの情報に対応する前記図書分類を検索する図書分類検索部を備え、前記図書データベースから前記ＩＣタグの情報及び前記ＩＣタグの情報に対応する前記図書分類とを受信して、検索対象の図書分類を設定する図書分類処理部を備えた図書案内システムが提供される。
【００１１】
上記構成によれば、図書に貼付けされたＩＣタグの情報を読取る携帯端末と、ＩＣタグの情報と図書分類及び図書情報を含む情報とを対応づけた図書データベースとが通信回線網で接続されたシステムにおいて、ＩＣタグの情報が携帯端末から図書データベースに送信される。図書データベースでは、携帯端末から受信したＩＣタグの情報に基づいて前記ＩＣタグの情報に対応する図書分類が検索される。そして、図書分類処理部では、図書データベースからＩＣタグの情報及びＩＣタグの情報に対応する図書分類を受信して、検索対象の図書分類が設定される。従って、図書データベースにおいて、ＩＣタグの情報から検索される図書分類の数が少ない場合であっても、図書分類処理部では、図書データベースから受信したＩＣタグの情報及び図書分類から検索対象の図書分類を設定することが可能となる。従って、携帯端末によるＩＣタグの読み取りの際に読み飛ばしが発生した場合であっても、スキャンしたエリアに存在する図書情報を取得することが可能となる。
【００１２】
また、前記図書データベースは、前記図書分類処理部により設定された前記検索対象の図書分類に基づいて、当該検索対象の図書分類に対応する図書情報を前記携帯端末へ送信するものであってもよい。かかる構成によれば、設定された検索対象の図書分類に対応する図書情報が携帯端末に送信されるため、検索対象の図書情報を携帯端末に表示することが可能となる。
【００１３】
また、前記携帯端末は、読取った複数のＩＣタグの情報の中から一部のＩＣタグの情報を選択して前記図書データベースへ送信し、前記図書分類処理部は、受信した図書分類のうち互いに最も近接する図書分類の対を特定し、特定した図書分類を含む所定範囲の図書分類を前記検索対象の図書分類として設定するものであってもよい。かかる構成によれば、受信した図書分類のうち互いに最も近接する図書分類の対を特定し、特定した図書分類を含む所定範囲の図書分類が検索対象の図書分類として設定されるため、携帯端末によるＩＣタグの読み取りの際に読み飛ばしが発生した場合であっても、検索対象の図書分類を最適に設定することができる。
【００１４】
また、前記図書分類は分類番号によって規定され、前記図書分類処理部は、受信した図書分類を規定する分類番号のうち互いに近接する分類番号を代表分類番号として特定し、特定した代表分類番号を含む所定幅の分類番号に対応する図書分類を前記検索対象の分類番号として特定するものであってもよい。かかる構成によれば、図書分類は分類番号によって規定されるため、受信した図書分類を規定する分類番号のうち互いに近接する分類番号を代表分類番号として特定し、特定した代表分類番号を含む所定幅の分類番号に対応する図書分類を検索対象の分類番号として特定することで、検索対象の図書分類を最適に設定することができる。
【００１５】
また、前記図書分類処理部は、受信した図書分類を規定する分類番号のうち差が最も小さい分類番号の組を特定し、特定した分類番号の組に基づいて前記代表分類番号を特定するものであってもよい。かかる構成によれば、分類番号の差に基づいて代表分類番号を特定することが可能となる。
【００１６】
また、前記図書分類処理部は、受信した図書分類を規定する分類番号のうち差が最も小さい分類番号の組が複数存在する場合は、任意にいずれかの組を特定し、特定した分類番号の組に基づいて前記代表分類番号を特定するものであってもよい。かかる構成によれば、受信した図書分類を規定する分類番号のうち差が最も小さい分類番号の組が複数存在する場合は、任意にいずれかの組が特定されるため、特定された分類番号の組に基づいて代表分類番号を特定することが可能となる。
【００１７】
また、前記図書分類処理部は、前記携帯端末の画面表示機能又は情報蓄積容量、若しくは前記携帯端末と前記図書データベースとを接続する回線の伝送能力に基づいて、前記検索対象の分類番号を特定するものであってもよい。かかる構成によれば、携帯端末の画面表示機能又は情報蓄積容量、若しくは携帯端末と図書データベースとを接続する回線の伝送能力に基づいて、検索対象の分類番号を最適に設定することができる。
【００１８】
また、前記図書分類処理部は、前記図書データベースから前記ＩＣタグの情報、前記図書分類及び対応する書架の情報が対応付けられた情報を受信し、受信した図書分類のうち他の図書分類と異なる図書分類を有するＩＣタグの情報に対応する図書を混在図書として特定し、受信した図書分類のうち互いの図書分類が近接又は同一である図書の書架位置情報に基づいて、当該書架位置情報が前記混在図書が置かれている一時移動先書架位置情報として特定し、前記図書データベースは、前記図書分類処理部から前記一時移動先書架位置情報を受信して記憶するものであってもよい。かかる構成によれば、他の図書分類と異なる図書分類を有するＩＣタグの情報に対応する図書を混在図書として特定することができる。また、受信した図書分類のうち互いの図書分類が近接又は同一である図書の書架位置情報に基づいて、当該書架位置情報が混在図書が置かれている一時移動先書架位置情報として特定される。従って、図書データベースは、一時移動先書架位置情報を受信して記憶することで、混在図書の置かれている書架位置の情報を取得することが可能となる。
【００１９】
また、前記図書分類は分類番号によって規定され、前記図書分類処理部は、受信した図書分類を規定する分類番号のうち所定の上位桁が異なる分類番号に対応する図書を混在図書として特定するものであってもよい。かかる構成によれば、受信した図書分類を規定する分類番号のうち所定の上位桁が異なる分類番号に対応する図書を混在図書として特定することが可能となる。
【００２０】
また、前記図書分類処理部は、前記図書データベースと通信回線で接続された装置に備えられるものであってもよい。かかる構成によれば、システム内に図書分類処理部として機能する装置を保有することができる。
【００２１】
また、前記図書分類処理部は、前記図書データベース又は前記携帯端末に備えられるものであってもよい。かかる構成によれば、図書分類処理部が図書データベース又は携帯端末に備えられるため、システムを簡素に構成することができる。
【００２２】
また、上記課題を解決するために、本発明の別の観点によれば、ＩＣタグが貼付けされた図書の情報を管理する図書データベースと接続された図書分類処理装置であって、前記図書データベースからＩＣタグの情報及び前記ＩＣタグの情報に対応する図書分類とを受信する受信部と、受信した図書分類に基づいて、検索対象の図書分類を設定する図書分類処理部と、前記検索対象の図書分類を前記図書データベースに送信する送信部と、を備える図書分類処理装置が提供される。
【００２３】
上記構成によれば、図書データベースからＩＣタグの情報及びＩＣタグの情報に対応する図書分類が受信され、受信した図書分類に基づいて検索対象の図書分類が設定される。従って、図書データベースにおいて、ＩＣタグの情報から検索される図書分類の数が少ない場合であっても、図書分類処理部では、図書データベースから受信したＩＣタグの情報及び図書分類から検索対象の図書分類を設定することが可能となる。従って、携帯端末によるＩＣタグの読み取りの際に読み飛ばしが発生した場合であっても、スキャンしたエリアに存在する図書情報を取得することが可能となる。
【００２４】
また、前記図書分類処理部は、受信した図書分類のうち互いに最も近接する図書分類の対を特定し、特定した図書分類を含む所定範囲の図書分類を前記検索対象の図書分類として設定するものであってもよい。かかる構成によれば、受信した図書分類のうち互いに最も近接する図書分類の対を特定し、特定した図書分類を含む所定範囲の図書分類が検索対象の図書分類として設定されるため、携帯端末によるＩＣタグの読み取りの際に読み飛ばしが発生した場合であっても、検索対象の図書分類を最適に設定することができる。
【００２５】
また、前記図書分類は分類番号によって規定され、前記図書分類処理部は、受信した図書分類を規定する分類番号のうち互いに近接する分類番号を代表分類番号として特定し、特定した代表分類番号を含む所定幅の分類番号に対応する図書分類を前記検索対象の分類番号として特定するものであってもよい。かかる構成によれば、図書分類は分類番号によって規定されるため、受信した図書分類を規定する分類番号のうち互いに近接する分類番号を代表分類番号として特定し、特定した代表分類番号を含む所定幅の分類番号に対応する図書分類を検索対象の分類番号として特定することで、検索対象の図書分類を最適に設定することができる。
【００２６】
また、前記受信部は、前記図書データベースから前記ＩＣタグの情報、前記図書分類及び対応する書架の情報が対応付けられた情報を受信し、受信した図書分類のうち他の図書分類と異なる図書分類を有するＩＣタグの情報に対応する図書を混在図書として特定し、受信した図書分類のうち互いの図書分類が近接又は同一である図書の書架位置情報に基づいて、当該書架位置情報が前記混在図書の置かれている一時移動先書架位置情報として特定し、前記混在図書の前記ＩＣタグの情報と前記一時移動先書架位置情報を前記図書データベースへ送信するものであってもよい。かかる構成によれば、他の図書分類と異なる図書分類を有するＩＣタグの情報に対応する図書を混在図書として特定することができる。また、受信した図書分類のうち互いの図書分類が近接又は同一である図書の書架位置情報に基づいて、当該書架位置情報が混在図書の置かれている一時移動先書架位置情報として特定される。従って、図書データベースは、一時移動先書架位置情報を受信して記憶することで、混在図書の置かれている書架位置の情報を取得することが可能となる。
【００２７】
また、上記課題を解決するために、本発明の別の観点によれば、図書に貼付けされた前記ＩＣタグの情報を読取る携帯端末と、前記ＩＣタグの情報と図書分類及び図書情報を含む情報とを対応づけた図書データベースとが通信回線網で接続された図書案内システムにおける図書案内方法であって、前記携帯端末が、前記ＩＣタグの情報を前記図書データベースに送信するステップと、前記図書データベースが、前記携帯端末から受信した前記ＩＣタグの情報に基づいて前記ＩＣタグの情報に対応する前記図書分類を検索するステップと、前記図書データベースから前記ＩＣタグの情報及び前記ＩＣタグの情報に対応する前記図書分類を受信して、検索対象の図書分類を設定するステップと、
前記図書データベースが、前記検索対象の図書分類に基づいて、当該検索対象の図書分類に対応する図書情報を前記携帯端末へ送信するステップと、を備えた図書案内方法が提供される。
【００２８】
上記構成によれば、図書に貼付けされたＩＣタグの情報を読取る携帯端末と、ＩＣタグの情報と図書分類及び図書情報を含む情報とを対応づけた図書データベースとが通信回線網で接続されたシステムにおいて、ＩＣタグの情報が携帯端末から図書データベースに送信される。図書データベースでは、携帯端末から受信したＩＣタグの情報に基づいて前記ＩＣタグの情報に対応する図書分類が検索される。そして、図書データベースからＩＣタグの情報及びＩＣタグの情報に対応する図書分類を受信して、検索対象の図書分類が設定される。従って、図書データベースにおいて、ＩＣタグの情報から検索される図書分類の数が少ない場合であっても、図書分類処理部では、図書データベースから受信したＩＣタグの情報及び図書分類から検索対象の図書分類を設定することが可能となる。従って、携帯端末によるＩＣタグの読み取りの際に読み飛ばしが発生した場合であっても、スキャンしたエリアに存在する図書情報を取得することが可能となる。
【発明の効果】
【００２９】
本発明によれば、陳列されている図書の情報を正確に検索することが可能な図書案内システム、図書分類処理装置及び図書案内方法を提供することが可能となる。
【発明を実施するための最良の形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
（第１の実施形態）
図１は、第１の実施形態における図書案内システムの構成図である。図書案内システムは、例えば図書館に構築されるものであり、図書館内の設備として図書データベース２０５、図書検索端末２０６が存在する。図書館の図書データベース２０５には、有線又は無線により分類番号処理装置２０４が接続される。利用者個人が持つ携帯端末２０１には、ＩＣタグリーダ２００が装着されている。また、図書データベース２０５は、携帯端末２０１や図書検索端末２０６とそれぞれ何らかの通信回線（通常は携帯電話または無線ＬＡＮ等の無線回線）を通じて接続されており、携帯端末２０１、図書データベース２０５、分類番号処理装置２０４、図書検索端末２０６はシステム内で相互に通信可能である。ＩＣタグリーダ２００は、書架１５０に陳列されているタグ付図書１，２，３のタグ情報を読み出すことが可能である。
【００３２】
図書データベース２０５及び分類番号処理装置２０４は、例えばコンピュータ及びその上で動作するソフトウエア、及び各種データを記憶する記憶部（メモリ）を有する構成により実現される。そして、この構成により、図書データベース２０５は、携帯端末２０１から受信したタグ番号２２０に基づいて図書の分類番号２２１を検索する図書分類検索部を機能ブロックとして備える。また、分類番号処理装置２０４は、図書データベース２０５から送信されたタグ番号及び分類番号に基づいて、検索対象の分類番号（検索依頼分類番号２３０）を設定する図書分類処理部を機能ブロックとして備える。
【００３３】
図２は、本実施形態における図書情報表示機能の説明図であり、携帯端末２０１、図書データベース２０５、分類番号処理装置２０４の間の情報交換の様子を示したものである。また、図３は、本実施形態の図書案内システムにおける処理の手順を示すフローチャートである。図２中のステップ１０からステップ１７は、図３に示すフローチャートに対応するものである。
【００３４】
図２において、図書データベース２０５の構成を説明する。図書データベース２０５は、タグ付図書から図書の情報を検索できる構成になっており、一例として、図書に貼り付けしたタグに記憶されている電子情報であるタグ番号２２０と、分類番号で広く利用されている日本十進分類法などの図書分類番号２２１、対応する図書情報２２２からなる。図書情報２２２は、さらに図書のタイトル２２３、著者や発行元などの図書属性情報やさらに図書の目次などを包含する詳細情報２２４からなる。
【００３５】
また、図２の左上には、書架１５０に図書１〜１０が陳列されている状態を例示しており、「政治」に関する分野の図書（図書１〜５、７〜１０）が並んでいる中に、他の書架の元の場所に戻されなかった図書６である「電気工学」が混在している状況を示している。
【００３６】
以下、図２、図３に示すステップ１０からステップ１７に従って動作を説明する。
・ステップ１０
ＩＣタグのリーダ機能を備えた携帯端末２０１を書架１５０付近でスキャンさせ、携帯端末２０１により図書に貼り付けされたＩＣタグのタグ番号を複数個読取る。ここでは、スキャンさせたときのタイミングや読取精度などにより図書番号１、３、４、６、８に対応するタグ番号のみの情報を読取れたとする。
【００３７】
・ステップ１１
ここでは、携帯端末２０１で読取った複数のタグ番号のうち、携帯端末２０１が３個のタグを任意に選択する。具体的には、読取った図書番号１，３，４，６，８のうち、図書番号３，６，８に対応するタグを抽選し、選択するものとする。
・ステップ１２
携帯端末２０１は、選択された３個のタグ番号を図書データベース２０５に送信する。具体的には、図書番号３，６，８に対応するタグ番号ｆ７８０、ｂ１５２、５ａ０９を図書データベース２０５に送信する。
・ステップ１３
図書データベース２０５は、受信したタグ番号に対応する分類番号２２１を検索し、検索結果をタグ番号とともに分類番号処理装置２０４に転送する。具体的には、図書３（タグ番号＝ｆ７８０）に対応する分類番号３１１、図書６（タグ番号＝ｂ１５２）に対応する分類番号５４０、図書８（タグ番号＝５ａ０９）に対応する分類番号３１２がそれぞれ検索され、（タグ番号、分類番号）の組として（ｆ７８０、３１１）、（ｂ１５２、５４０）、（５ａ０９、３１２）の情報が分類番号処理装置２０４に転送される。
【００３８】
・ステップ１４
分類番号処理装置２０４は、受信した３つの分類番号のうち互いが最も近接する番号の対ないしは同一の分類番号をもつ２つの分類番号を特定する。図２の例では、分類番号３１１、５４０、３１２、の３つを比較し、最も近接する分類番号の対である（３１１、３１２）が特定される。
【００３９】
・ステップ１５
分類番号処理装置２０４は、特定された分類番号を含む、予め決められた幅の分類番号全てを検索依頼分類番号２３０とする。図２では、特定された分類番号（３１１、３１２）のうち、大きい方の番号３１２を最大値とし、かつ分類番号領域幅を３として規定される分類番号３１０〜３１２を検索依頼分類番号２３０としている。
【００４０】
なお、このとき、特定した分類番号をもつ図書も含め何冊の図書に対して検索を行うのか、または分類番号領域幅をいくつにするのかは、携帯端末２０１の画面表示性能や情報蓄積容量に応じて携帯端末２０１を持つ利用者が任意に設定できるようにしてもよいし、図書データベース２０５と携帯端末２０１とを接続する回線（通常は携帯電話または無線ＬＡＮ等の無線回線）の伝送能力などを考慮し図書館運営者が事前に設定するようにしてもよい。
【００４１】
・ステップ１６
分類番号処理装置２０４は、検索依頼分類番号２３０を図書データベース２０５に送信する。
【００４２】
・ステップ１７
図書データベース２０５は、受信した検索依頼分類番号２３０をもとに検索を行い、検索結果を携帯端末２０１に送信する。携帯端末２０１は、受信した情報を画面等に表示する。図２では、分類番号３１０〜３１２に相当する図書として、図書番号１，２，３、４，５，７，８，９，１０が検索される。このとき、図書番号６は分類番号３１０〜３１２に入っていないので検索の対象とはならない。図２では、この検索結果が携帯端末２０１の画面等に表示されている様子を示している。
【００４３】
以上説明したように第１の実施形態によれば、携帯端末２０１を書架付近でスキャンさせ、その書架に陳列されている図書の一部のタグ情報のみを読取るだけで携帯端末２０１にそのエリアの図書情報を表示することが可能となる。従って、全てのＩＣタグを短時間で読み出す必要がなくなり、ＩＣタグの読取時間やスキャン時間を短くすることができ、結果として携帯端末２０１に結果を表示するまでの時間を短縮化することが可能となる。
【００４４】
また、読取った複数のタグ番号のうち３個のタグを任意に選択した上で、各タグに対応する図書分類番号を検索し、検索された分類番号のうち互いが最も近接する番号の対ないしは同一の分類番号をもつ２つの分類番号を特定する。従って、任意に選択した３個のタグ番号のなかに分類番号の異なる図書（すなわち、本来の書架に戻されなかった図書）に対応するタグ番号が混入していても、所定の書架に陳列されている図書のみの情報を検索し、携帯端末２０１に表示することが可能となる。
【００４５】
なお、第１の実施形態では、近接する分類番号の対を特定し、その対を含む分類番号及びその周辺を検索対象としたが、３つのタグ番号に対応する分類番号が近似ないしは同一の場合はその平均値をとり、それを新たな分類番号として図書の検索を行ってもよい。読取った複数のタグ番号のうち３個のタグを任意に選択したが、３個に限定されるものではなく、読取った複数のタグ番号のうち一部のタグを任意に選択することも勿論可能である。
【００４６】
（第２の実施形態）
第１の実施形態では、読取ったタグ番号の処理は携帯端末２０１で行っていた。具体的には、第１の実施形態では、図３におけるステップ１１で携帯端末２０１によりタグ番号の処理が行われ、読取った複数のタグのうち３個の任意のタグを選択する処理が行われる。汎用的な携帯端末２０１を利用してサービスを実現するには、タグ番号の処理は、携帯端末２０１以外で行っても良い。第２の実施形態は、携帯端末２０１以外でタグ番号の処理を行うものである。
【００４７】
第２の実施形態における図書案内システムの構成図は、図１と同様である。図４は、第２の実施形態における図書情報表示機能の説明図であり、携帯端末２０１、図書データベース２０５、分類番号処理装置２０４の間の情報交換の様子を示したものである。図５は、本実施形態の図書案内システムにおける処理の手順を示すフローチャートである。図４中のステップ２０からステップ２６は、図５に示すフローチャートに対応するものである。
【００４８】
図４における図書データベース２０５の構成は、図２と同様である。図４において、図２と異なる点は、携帯端末２０１と分類番号処理装置２０４の内部処理である。また、図４の左上に書架１５０に陳列された図書の配置を例示しているが、これは図２における書架１５０の例示と同様である。以下、図４、図５に示すステップ２０からステップ２６に従って動作を説明する。
【００４９】
・ステップ２０
第１の実施形態のステップ１０と同様である。
【００５０】
・ステップ２１
携帯端末２０１は、読取った複数のタグ番号の全てを図書データベース２０５に送信する。図４では、図書番号１，３，４，６，８に対応するタグ番号が全て図書データベース２０５に送信される様子を例示している。ここでは、図書番号１，３，４，６，８に対応するタグ番号として、ｅｆ６５，ｆ７８０，７６７ｅ，ｂ１５２，５ａ０９が図書データベース２０５に送信される。
【００５１】
・ステップ２２
図書データベース２０５は、受信したタグ番号に対応する分類番号２２１を検索し、検索結果をタグ番号とともに分類番号処理装置２０４に転送する。具体的には、図書１（タグ番号＝ｅｆ６５）に対応する分類番号３１０、図書３（タグ番号＝ｆ７８０）に対応する分類番号３１１、図書４（タグ番号＝７６７ｅ）に対応する分類番号３１１、図書６（タグ番号＝ｂ１５２）に対応する分類番号５４０、図書８（タグ番号＝５ａ０９）に対応する分類番号３１２がそれぞれ検索される。そして、（タグ番号、分類番号）の組として（ｅｆ６５、３１０）、（ｆ７８０、３１１）、（７６７ｅ、３１１）、（ｂ１５２、５４０）、（５ａ０９、３１２）の情報が分類番号処理装置２０４に転送される。
【００５２】
・ステップ２３
分類番号処理装置２０４は、受信した分類番号のうち互いが近接する代表分類番号２３１を特定する。代表分類番号２３１を特定するアルゴリズムは幾つかあるが、ここでは、まず互いの分類番号の離隔距離を計算し、離隔距離が最短となる番号の組を特定し、これを代表分類番号とする。ここでは、３１１の分類番号を２つ受信しているため、離隔距離が０と最短であり、分類番号３１１がここでの代表分類番号２３１に相当する。なお、離隔距離が最短となる番号の組が複数見出されたときは、任意にいずれかの組を選択して、代表分類番号２３１を決定する。
【００５３】
ステップ２４
分類番号処理装置２０４は、特定された代表分類番号２３１を含む、あらかじめ決められた幅の分類番号を検索依頼分類番号２３０とする。図４では、特定された代表分類番号２３１に該当する分類番号３１１を含み、かつ分類番号領域幅を３として規定される分類番号３１０〜３１２を検索依頼分類番号２３０としている。
【００５４】
なお、このとき、特定した代表分類番号２３１をもつ図書も含め何冊の図書に対して検索を行うのか、または分類番号領域幅をいくつにするのかは、携帯端末の画面表示性能や情報蓄積容量に応じて携帯端末２０１を持つ利用者が任意に設定できるようにしてもよいし、図書データベース２０５と携帯端末２０１とを接続する回線（通常は携帯電話または無線ＬＡＮ等の無線回線）の伝送能力などを考慮して図書館運営者が事前に設定するようにしてもよい。
【００５５】
・ステップ２５
第１の実施形態のステップ１６と同様である。
【００５６】
ステップ２６
第１の実施形態のステップ１７と同様である。
【００５７】
以上説明したように第２の実施形態によれば、読取ったタグ番号に対応して検索対象の分類番号を決定する処理を分類番号処理装置２０４にて一括で行うようにしたので、携帯端末２０１側での特別の処理が不要となる。従って、汎用的な携帯端末２０１を利用したサービスの提供が可能となる。また、提供される機能の変更や修正も分類番号処理装置２０４に対してだけ行えば良いので、サービスの保守や機能変更が容易となる。
【００５８】
なお、第２の実施形態では、分類番号の処理機能を分類番号処理装置２０４に集中させているが、逆に分類番号の処理機能を携帯端末２０１に配置するようにしても良い。この場合、第１の実施形態、第２の実施形態において、図書データベース２０５に接続されている分類番号処理装置２０４は不要となり、システム構成は図９のようになる。この場合、機能の変更や修正は携帯端末２０１に対してだけ行えばよいので、サービスの保守や機能変更が容易となる。
【００５９】
また、第１の実施形態、第２の実施形態において、図書データベース２０５と分類番号処理装置２０４を一体に構成しても良い。この場合において、分類番号処理装置２０４の機能を図書データベース２０５に持たせることで、分類番号処理装置２０４が不要となり、分類番号処理装置２０４と図書データベース２０５との間の情報のやり取りが不要にあるため、システムを簡素に構成することができる。
【００６０】
（第３の実施形態）
第１の実施形態、第２の実施形態では、分類番号に従って書架１５０に陳列されていない図書（以下、このような図書を「混在図書」と定義する。）を排除して、本来的にその書架に陳列される図書の案内を行うものであった。
【００６１】
この場合、混在図書（第１の実施形態では図書６に相当する。）を別の図書館利用者が図書検索端末２０６で検索し、検索結果に従って混在図書が本来置いてある所定の書架に行ったとしても、所望の図書はその書架にはないため、図書６を探すのに時間を要する場合もあり得る。
【００６２】
第３の実施形態は、このような事態であっても、短時間に所望の図書を探せるようにしたものであり、第１の実施形態で検出される混在図書に関する書架番号を、混在図書と隣接して陳列されている図書の書架番号から推測し、その番号を一時移動先書架番号として図書データベース２０５に登録しておくものである。これにより、所望の図書が混在図書に該当しているとは知らずに所望の図書を探している別の図書館利用者に、所望の図書の現時点での書架位置情報を提供する。
【００６３】
本実施形態における図書案内システムの構成図は図１と同様である。図６は、書架位置検索機能の説明図であり、携帯端末２０１、図書データベース２１５、分類番号処理装置２０４の間の情報交換の様子を示したものである。図中のステップ３０からステップ３４は図７に示すフローチャートに対応するものである。
【００６４】
本実施形態において、分類番号処理装置２０４は、図書データベース２０５から送信されたタグ番号、分類番号及び書架位置に基づいて混在図書を特定する機能ブロック、及び混在図書が置かれている書架を一時移動先書架位置として特定する機能ブロックを備えている。これらの機能ブロックは、分類番号処理装置２０４を構成するコンピュータなどのハードウェア及びその上で動作するソフトウエア、及び各種データを記憶する記憶部（メモリ）を有する構成により実現される。
【００６５】
図６において、図書データベース２１５の構成を説明する。第３の実施形態の図書データベース２１５では、第１の実施形態の図２で説明した図書データベース２０５の構成に対して、書架位置２２５、一時移動先書架位置２２６の情報が追加されている。そして、タグ情報２２０、タイトル２２３等から書架位置２２５や一時移動先書架位置２２６の情報が検索可能となっている。
【００６６】
また、図６では、左上に書架１５０に陳列された図書の配置を例示しているが、これは図２における書架１５０の例示と同様である。図７は、図６のシステムによる処理を説明するためのフローチャートである。また、図８は、図書館利用者が図書検索端末２０６により書架位置の検索を行う様子を説明する模式図である。
【００６７】
図６では、第１の実施形態における図２と同様に、書架１５０に図書名が「電気工学」である図書６が陳列されている。図書６は、分類番号に従っていない図書として陳列されており、本来の所定の位置に戻っていない図書と仮定する。
【００６８】
ここでは始めに、所定の位置に戻っていない図書に関して、一時的に移動した先の書架番号を図書データベース２１５の一時移動先書架位置２２６の情報に登録しておく処理フローを、図６、図７に示すステップ３０からステップ３４に従って説明する。次に、図書館利用者が図書検索端末２０６を使用し、所望の図書の書架番号を検索する処理フローを、図８に示すステップ４０からステップ４１に従って説明する。
【００６９】
・ステップ３０
ＩＣタグのリーダ機能を備えた携帯端末２０１を書架１５０付近でスキャンさせ、図書に貼り付けされたＩＣタグのタグ番号を複数個読取る。これは、第１の実施形態のステップ１０と同様の操作である。
【００７０】
・ステップ３１
携帯端末２０１は、読み込んだ複数のタグ番号を全て図書データベース２１５に送信する。図６では、携帯端末２０１が、図書番号１，３，４，６，８に対応するタグ番号を図書データベース２１５に送信している状態を示している。
【００７１】
・ステップ３２
図書データベース２１５は、受信したタグ番号に対応する分類番号２２１及び書架位置２２５を検索し、検索結果を分類番号処理装置２０４に転送する。図６では、タグ番号ｅｆ６５，ｆ７８０，ｂ１５２，５ａ０９，７６７ｅに対応するそれぞれの分類番号、書架位置である（３１０、Ｂ−１）、（３１１、Ｂ−１）、（５４０、Ｇ−３）、（３１２、Ｂ−１）、（３１１、Ｂ−１）が検索され、分類番号処理装置２０４に転送される様子を示している。
【００７２】
・ステップ３３
分類番号処理装置２０４は、受信した複数の分類番号のうち他の分類番号とは異なる分類番号を持つ図書を混在図書とみなしてそのタグ番号を特定する。より正確には、分類番号処理装置２０４は、複数の分類番号のうち、他の分類番号と近接していない分類番号の図書、又は他の分類番号と上位桁の値が異なる分類番号の図書を混在番号とみなしてタグ番号を特定する。
【００７３】
更に、分類番号処理装置２０４は、混在図書が、受信した複数の分類番号のうち互いの分類番号が近接ないしは同一である分類番号を持つ図書が置かれている書架に置かれているものとみなし、その書架位置を一時移動先書架位置とする。図６では、分類番号処理装置２０４が分類番号、書架位置の情報として（３１０、Ｂ−１）、（３１１、Ｂ−１）、（５４０、Ｇ−３）、（３１２、Ｂ−１）、（３１１、Ｂ−１）の５つの情報のセットを図書データベース２１５から受信している様子を示している。そして、図６では、分類番号処理装置２０４が受信した分類番号の中で他の分類番号と異なる番号である分類番号５４０を特定し、分類番号５４０に該当する図書が混在図書であるとみなしている様子を示している。一方、分類番号処理装置２０４は、分類番号が互いに近接する３１０〜３１２に対応する書架位置Ｂ−１を特定する。これにより、分類番号処理装置２０４は、分類番号が５４０であるタグ番号ｂ１５２に対応する図書６が、現時点で書架Ｂ−１に陳列されていると判断し、一時移動先書架番号とする。
【００７４】
・ステップ３４
分類番号処理装置２０４は、混在図書のタグ番号と一時移動先書架番号とを図書データベース２１５に送信する。図書データベース２１５は、受信した混在図書のタグ番号と、一時移動先書架番号の情報を所定のメモリ位置に格納する。
【００７５】
図６では、混在図書のタグ番号ｂ１５２および一時移動先書架番号としての書架番号Ｂ−１の情報が分類番号処理装置２０４から図書データベース２１５に送信され、書架番号Ｂ−１が一時移動先書架位置情報として図書データベース２１５の一時移動先書架位置２２６に格納されるところを示している。
【００７６】
図８では、図書館利用者が図書検索端末２０６を使用し、混在図書を含む所望の図書の書架番号を検索する。なお、この検索は、携帯端末２０１で行っても良い。
ステップ４０
図書館利用者は図書検索端末２０６により所望の図書の検索を行う。ここでは、図書タイトルとして「政治一般」と「電気工学」を入力する。
【００７７】
・ステップ４１
図書データベース２１５で受信した図書タイトルは、タイトルに従い書架番号が検索される。「政治一般」は一時移動先書架位置２２６に何の位置情報も記録されていないため、書架位置２２５として記録されているＢ−１が検索結果となり、図書検索端末２０６に送信される。これにより、図書検索端末２０６では、「政治一般」の書架位置がＢ−１として表示される。
【００７８】
一方で、図書タイトル「電気工学」は、一時移動先書架位置２２６として書架番号Ｂ−１が記録されているので、書架位置２２５であるＧ−３よりも優先して書架番号Ｂ−１が図書検索端末２０６に送信される。これにより、図書検索端末２０６では、「電気工学」の書架位置がＢ−１として表示される。
【００７９】
なお、一時移動先書架番号２２６に記録されている情報は、混在図書が図書館の管理者により元の場所に戻された場合は、消去することが望ましい。これにより、混在図書は正規の位置（書架番号Ｇ−３）にある図書であるとして、図書データベース２１５で通常に管理される。また、混在図書が貸し出されたときにも、一時移動先書架番号２０６の情報は消去される。
【００８０】
以上のように第３の実施形態では、ＩＣタグのリーダ機能を備えた携帯端末２０１を持った図書館利用者が図書を探すべく、携帯端末２０１を書架１５０付近でスキャンさせ、貼り付けされたＩＣタグ番号を読み取り、その中に混在図書があった場合、読取った他の図書の書架位置が混在図書の現時点での書架位置であると推定判断し、その推定判断した書架位置が図書データベース２１５の一時移動先書架位置２２６に記録される。
【００８１】
従って、より多くの利用者が、図書館内で携帯端末２０１を用いて書架周辺を歩き回って図書を探し、その時のスキャン履歴情報が多く集まれば集まるほど混在図書の一時移動先書架位置２２６の情報が図書データベース２１５により多く蓄積される。従って、任意の時点での図書の書架位置を正確に図書データベース２１５に記録することが可能となる。
【００８２】
これにより、図書館に訪れた別の利用者は、所望の図書が混在図書に該当していたとしても、短時間で所望の図書の位置を知ることができる確率が高まり、短時間で所望の図書を探すことが可能となる。
【００８３】
また、図書館の管理者は図書データベース２１５に記録されている一時移動先書架位置２２６の情報を見ることにより、混在図書を識別することが可能となり、図書を分類番号に従う位置に戻すことができる。従って、図書の整理を短時間で行うことができる。
【００８４】
なお、上述した各実施形態では、本発明を図書館での利用に適用した例を示したが、本発明はこれに限定されるものではない。本発明は、例えば、電子タグを貼り付けた物品を多数陳列し、利用者が陳列品を手に取ることによって陳列位置に変動をきたすような形態の商業施設等に広く適用可能である。商業施設の例としては、例えば、レンタルショップ、スーパーマーケット、百貨店などが挙げられる。
【００８５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００８６】
【図１】本発明の第１の実施形態における図書案内システムの構成図である。
【図２】第１の実施形態における図書情報表示機能を説明するための模式図である。
【図３】第１の実施形態の図書案内システムにおける処理の手順を示すフローチャートである。
【図４】第２の実施形態における図書情報表示機能を説明するための模式図である。
【図５】第３の実施形態の図書案内システムにおける処理の手順を示すフローチャートである。
【図６】第３の実施形態の書架位置検索機能を説明するための模式図である。
【図７】図６のシステムによる処理を説明するためのフローチャートである。
【図８】図書館利用者が図書検索端末により書架位置の検索を行う様子を説明する模式図である。
【図９】分類番号の処理機能を携帯端末に配置した場合のシステム構成を示す模式図である。
【符号の説明】
【００８７】
１５０    書架
２００    ＩＣタグリーダ
２０１    携帯端末
２０４    分類番号処理装置
２０５，２１５    図書データベース
【図１】
2009015442.tif 000003
【図２】
2009015442.tif 000004
【図３】
2009015442.tif 000005
【図４】
2009015442.tif 000006
【図５】
2009015442.tif 000007
【図６】
2009015442.tif 000008
【図７】
2009015442.tif 000009
【図８】
2009015442.tif 000010
【図９】
2009015442.tif 000011